(57)【要約】【課題】  キャリッジの戻り時にも画像を読み取り、キャリッジを高速で戻す必要をなくすことによってキャリッジを駆動するモータの低コスト化、騒音の防止、信頼性の向上を図るＡＤＦを使用する複写装置を提供する。【解決手段】  オートドキュメントフィーダ１を使用してコピーを行うデジタル複写装置において、前記オートドキュメントフィーダ１で連続して原稿を読み取る場合に、奇数枚目をキャリッジ３２が順方向で原稿のスキャンを行い、偶数枚目はキャリッジ３２が逆方向で原稿のスキャンを行い、前記偶数枚目の原稿の画像データはデータを読み取ったのとは逆に画像形成を行なう機能を有する制御手段３７を有する。【選択図】  図５
2005073169.tif 000002
【特許請求の範囲】
【請求項１】
オートドキュメントフィーダを使用してコピーを行うデジタル複写装置において、前記オートドキュメントフィーダで連続して原稿を読み取る場合に、奇数枚目をキャリッジが順方向で原稿のスキャンを行い、偶数枚目はキャリッジが逆方向で原稿のスキャンを行い、前記偶数枚目の原稿の画像データはデータを読み取ったのとは逆に画像形成を行なう機能を有する制御手段を有することを特徴とするデジタル複写装置。
【請求項２】
前記オートドキュメントフィーダの自動原稿送りを使用せず、圧板を開けて手動で原稿をセットしてコピーを行う場合、前記機能を解除して、奇数枚目、偶数枚目に拘わらず前記キャリッジが順方向で原稿のスキャンが行われることを特徴とする請求項１記載のデジタル複写装置。
【請求項３】
１枚の原稿からコピーする枚数が複数枚である場合、前記機能を解除して、奇数枚目、偶数枚目に拘わらず前記キャリッジが順方向で原稿のスキャンが行われることを特徴とする請求項１記載のデジタル複写装置。
【請求項４】
前記オートドキュメントフィーダにセットされた原稿が全て送られたかどうか検知する検知手段を有し、この検知手段が、原稿が全て送られた場合に最後の原稿の読み取りを完了後に前記キャリッジをホームポジションに戻すように設けられることを特徴とする請求項１記載のデジタル複写装置。
【請求項５】
１枚目の原稿の読み取りが完了した後に記録紙に１枚目の画像書き込みを開始するように制御されることを特徴とする請求項１記載のデジタル複写装置。
【請求項６】
前記オートドキュメントフィーダの自動原稿送りを使用せず、圧板を開けて手動で原稿をセットしてコピーを行う場合に、前記制御機能を解除し、前記オートドキュメントフィーダの自動原稿送りを使用する場合に前記制御機能どおりに動作することを特徴とする請求項５記載のデジタル複写装置。
【請求項７】
１枚の原稿からコピーする枚数が複数枚である場合に１枚目の原稿の読み取りを完了する前に記録紙に１枚目の画像の形成を開始し、１枚の原稿からコピーする枚数が１枚である場合に、前記制御機能どおりに動作することを特徴とする請求項５記載のデジタル複写装置。
【請求項８】
セットされた原稿が１枚であるか、複数枚であるかを検知する検知手段を有し、原稿が１枚のみの場合に１枚目の原稿の読み取りを完了する前に記録紙に１枚目の画像の形成を開始し、セットされた原稿が複数枚である場合に前記制御機能どおりに動作することを特徴とする請求項５記載のデジタル複写装置。
【請求項９】
ユーザーが前記機能を解除可能に構成されていることを特徴とする請求項１記載のデジタル複写装置。
【請求項１０】
前記オートドキュメントフィーダにセットされた原稿のサイズを検知する原稿サイズ検知手段を有し、前記オートドキュメントフィーダに異なるサイズの原稿がセットされたことを検知した場合に前記機能を解除するように制御されることを特徴とする請求項１記載のデジタル複写装置。
【発明の詳細な説明】
【技術分野】
【０００１】
本発明は、オートドキュメントフィーダ（ＡＤＦ）を使用するデジタル複写装置に関するものである。
【背景技術】
【０００２】
複写機におけるコピーの生産性を上げるために従来から種々の手段が開発されかつ公表されている（例えば、特許文献１ないし３参照）。
【０００３】
特許文献１では複数枚の原稿を一度にスキャンして読み取り時間を短縮する画像読取装置を開示している。特許文献２および３では両面コピー時のコピー生産性の向上を目的とする複写機を開示している。
【特許文献１】特開平５−１８１３３０号公報
【特許文献２】特開平５−１８３７０６号公報
【特許文献３】特開平５−１８３７０７号公報
【発明の開示】
【発明が解決しようとする課題】
【０００４】
複写機におけるコピーの生産性を上げるために、従来から行われてきた手段としては記録紙の搬送速度を速くすること（単位時間内のプリントの枚数を増やすことが可能となる）、記録紙の用紙間隔を短縮すること（同じ用紙搬送速度であれば、用紙間隔が小さいほど単位時間内のプリントの枚数を増やすことが可能となる）などが実施されている。
【０００５】
とくに用紙間隔を小さくすることは、用紙搬送速度を速くすることでプリントの生産性を上げるのに比べ用紙の搬送速度を速くする必要がないことから用紙搬送に要するエネルギが小さくてすみ、省エネルギである。
【０００６】
用紙搬送に起因する騒音を小さく抑えることが可能である。用紙搬送を受け持つローラの磨耗、軸受の磨耗、発熱などを抑えることができることから装置の寿命に悪影響を及ぼしにくい。
【０００７】
また、このことから用紙搬送速度を上げた場合に装置の寿命を低下させないように取られる対策（耐磨耗性の高いローラ、軸受を使用するなど）を抑えることができ、装置のコストアップを抑えることが可能である等のメリットがある。
【０００８】
しかし、このような方法で複写機のコピー生産性を上げようとしたとき以下に述べるような新たな問題が生じる。つまり、複写機において連続コピー時のコピー生産性については以下の２つの場合に分けて考える必要がある。
【０００９】
同一原稿で複数枚連続コピーする場合
ＡＤＦを使用して複数枚の原稿に対して１対１コピー（原稿１枚に対しコピー１枚を行う）を連続して行う場合に、複写機では原稿読み取り部にて原稿をスキャンして画像データを得て、画像形成部にてその画像データをプリントしている。
【００１０】
同一原稿で複数枚連続コピーする場合
例えばデジタル複写機では原稿を１回スキャンして原稿のデータを取り込めばその後はスキャンの必要がないことから連続コピーにおいてスキャンに要する時間の制約を受けにくい（１回のスキャンに要する時間を除けば、連続コピー時のスキャン時間の影響は受けない）。
【００１１】
それに対してＡＤＦを使用して複数枚の原稿に対して１対１コピーを連続して行う場合にコピー１枚生産ごとに原稿スキャンが行われるため原稿スキャン速度がコピーの生産性に対する制約となる。
【００１２】
１枚のプリントに必要な時間より原稿スキャン時間が大きい場合、原稿のスキャンに合わせて記録紙が送られるため記録紙が原稿スキャン完了まで待機して紙間が大きくなった状態でコピーされるためコピー生産性が低下する。
【００１３】
ここでいう「原稿スキャン時間」とは、
（ａ）原稿を読み取り部まで搬送するのに要する時間、（ｂ）原稿をスキャナで読み取る時間：スキャナのキャリッジが移動して原稿の画像データを読み取る時間等、（ｃ）次の原稿を読み取るための準備時間：スキャナのキャリッジを読み取り開始位置まで戻すための時間等、（ｄ）次の原稿を送り出すタイミングを含めたトータルでの原稿スキャン時の時間である。
【００１４】
ここで重要なポイントは、１枚のプリントに必要な時間は紙間を短縮することで用紙の送り速度を変えなくても短縮可能であるが、これとは別にＡＤＦのスキャン速度を上げないとＡＤＦ１対１コピー時ではコピーに要する時間が短縮できない。
【００１５】
例えば、ＡＤＦの原稿スキャン時間が、Ａ４横送り時、５０枚／分、連続コピー速度が７０ＣＰＭ（コピー／分：１分あたりのコピー枚数）の場合、１対１コピーのコピー生産性は原稿スキャン時間の制約から５０ＣＰＭとなってしまう。
【００１６】
このため、紙間を縮めることでコピーの生産性を上げようとしてもＡＤＦでの１対１コピー時のコピー生産性を低下させないためには、新たに対策が必要となる。
【００１７】
ＡＤＦの１枚あたり原稿スキャン時間≦１枚あたり画像形成時間とすることでＡＤＦでの１対１コピー時のコピー生産性を低下させないことは可能である。
そのための方法としては上記の（ａ）〜（ｂ）を同時に、あるいは単独で速くすることで対応可能である。
【００１８】
（ａ）原稿を読み取り部まで搬送するのに要する時間を短縮する場合
原稿の搬送速度を早くする必要があり、搬送速度上昇に対応できるモータが必要となり、コスト上昇、速度上昇による消費電力の増加、原稿搬送音の増加、搬送速度上昇による部品の耐久性の低下（コロの磨耗の増加、軸受の寿命の低下など）などの問題が生じる。
【００１９】
（ｂ）原稿をスキャナで読み取る時間を短縮する場合
読み取り時のスキャナのキャリッジの移動速度の上昇に対応できるモータが必要（ただし通常のスキャナ同一のモータにてスキャナで読み取り時と読み取り後のキャリッジの戻し時の移動を受け持っており、戻し時の方が高速で戻しているため、読み取り時のキャリッジの移動速度の上昇に対してはモータを変えなくても対応可能な場合が多い。）である。
【００２０】
読み取りに必要な光量（原稿を読み取るために原稿に当てる光の量）の増加、速度上昇＋光量増加による消費電力の増加、キャリッジ移動音の増加、速度上昇による部品の耐久性の低下（軸受の寿命の低下など）などの問題が生じる。
【００２１】
（ｃ）次の原稿を読み取るための準備時間を短縮する場合
スキャナのキャリッジの戻し時間の増大に対応できるモータが必要となり、コスト上昇し、戻し速度上昇による消費電力の増加、キャリッジ移動音の増加、速度上昇による部品の耐久性の低下（軸受の寿命の低下など）などの問題が生じる。
【００２２】
（ｄ）次の原稿を送り出すタイミングを早くする場合
上記（ａ）〜（ｃ）を短縮することで次の原稿を送り出すタイミングを早くできる。上記（ａ）〜（ｃ）を短縮しないでタイミングのみを早くすることはできない。
【００２３】
そこで本発明の目的は、上記の問題点を解決するために、キャリッジの戻り時にも画像を読み取り、キャリッジを高速で戻す必要をなくすことによってキャリッジを駆動するモータの低コスト化、騒音の防止、信頼性の向上を図るＡＤＦを使用する複写装置を提供することにある。
【課題を解決するための手段】
【００２４】
前記の課題を解決するために、請求項１記載の発明では、オートドキュメントフィーダを使用してコピーを行うデジタル複写装置において、前記オートドキュメントフィーダで連続して原稿を読み取る場合に、奇数枚目をキャリッジが順方向で原稿のスキャンを行い、偶数枚目はキャリッジが逆方向で原稿のスキャンを行い、前記偶数枚目の原稿の画像データはデータを読み取ったのとは逆に画像形成を行なう機能を有する制御手段を有するデジタル複写装置を最も主要な特徴とする。
【００２５】
請求項２記載の発明では、前記オートドキュメントフィーダの自動原稿送りを使用せず、圧板を開けて手動で原稿をセットしてコピーを行う場合、前記機能を解除して、奇数枚目、偶数枚目に拘わらず前記キャリッジが順方向で原稿のスキャンが行われる請求項１記載のデジタル複写装置を主要な特徴とする。
【００２６】
請求項３記載の発明では、１枚の原稿からコピーする枚数が複数枚である場合、前記機能を解除して、奇数枚目、偶数枚目に拘わらず前記キャリッジが順方向で原稿のスキャンが行われる請求項１記載のデジタル複写装置を主要な特徴とする。
【００２７】
請求項４記載の発明では、前記オートドキュメントフィーダにセットされた原稿が全て送られたかどうか検知する検知手段を有し、この検知手段が、原稿が全て送られた場合に最後の原稿の読み取りを完了後に前記キャリッジをホームポジションに戻すように設けられる請求項１記載のデジタル複写装置を最も主要な特徴とする。
【００２８】
請求項５記載の発明では、１枚目の原稿の読み取りが完了した後に記録紙に１枚目の画像書き込みを開始するように制御される請求項１記載のデジタル複写装置を主要な特徴とする。
【００２９】
請求項６記載の発明では、前記オートドキュメントフィーダの自動原稿送りを使用せず、圧板を開けて手動で原稿をセットしてコピーを行う場合に、前記制御機能を解除し、前記オートドキュメントフィーダの自動原稿送りを使用する場合に前記制御機能どおりに動作する請求項５記載のデジタル複写装置を主要な特徴とする。
【００３０】
請求項７記載の発明では、１枚の原稿からコピーする枚数が複数枚である場合に１枚目の原稿の読み取りを完了する前に記録紙に１枚目の画像の形成を開始し、１枚の原稿からコピーする枚数が１枚である場合に、前記制御機能どおりに動作する請求項５記載のデジタル複写装置を主要な特徴とする。
【００３１】
請求項８記載の発明では、セットされた原稿が１枚であるか、複数枚であるかを検知する検知手段を有し、原稿が１枚のみの場合に１枚目の原稿の読み取りを完了する前に記録紙に１枚目の画像の形成を開始し、セットされた原稿が複数枚である場合に前記制御機能どおりに動作する請求項５記載のデジタル複写装置を最も主要な特徴とする。
【００３２】
請求項９記載の発明では、ユーザーが前記機能を解除可能に構成されている請求項１記載のデジタル写装置を主要な特徴とする。
【００３３】
請求項１０記載の発明では、前記オートドキュメントフィーダにセットされた原稿のサイズを検知する原稿サイズ検知手段を有し、前記オートドキュメントフィーダに異なるサイズの原稿がセットされたことを検知した場合に前記機能を解除するように制御される請求項１記載のデジタル複写装置を主要な特徴とする。
【発明の効果】
【００３４】
以上説明したように、請求項１によれば、デジタルＰＰＣにおいて、ＡＤＦ（オートドキュメントフィーダ）を使用してコピーを行う場合において、従来はスキャナのキャリッジが順方向に送られるときのみ画像を読み取っていたのに対して、本発明ではキャリッジの戻り時にも画像を読み取るようにしたことで、従来のキャリッジを戻すのに要する時間が原稿の読み取りに寄与しない時間であったという無駄をなくし、原稿の読み取り時間を短縮することが可能である。
【００３５】
請求項２によれば、ＡＤＦの自動原稿送りを使用せず、圧板を開けて手動で原稿をセットする場合にはキャリッジの戻り時に画像を読み取る機能を解除することで上記不具合を解消できる。
【００３６】
請求項３によれば、キャリッジ戻り時に原稿の画像を読み込む１枚の原稿からコピーする枚数が複数枚である場合、キャリッジ戻り時に原稿の画像を読み込む機能を解除することで上記不具合を解消できる。
【００３７】
請求項４によれば、このため、ＡＤＦにセットされた原稿が全て送られたかどうか検知し、原稿が全て送られた後はキャリッジをホームポジションに戻すことで上記不具合を解消できる。
【００３８】
請求項５によれば、１枚目の原稿の読み取りが完了した後に記録紙に１枚目の画像形成を開始するように設けていることから、１枚目と２枚目の紙間が無駄に空いてしまうことによる上記不具合を防止することができる。
【００３９】
請求項６によれば、ＡＤＦの自動原稿送りを使用せず、圧板を開けて手で原稿をセットしてコピーを行う場合は１枚目の原稿の読み取りを完了する前に記録紙に１枚目の画像形成を開始するように設けている。
【００４０】
このことから原稿の読み取り開始直後から画像形成（すなわち感光体への書き込み）を開始することが可能であり、１枚目の読み取り完了まで画像形成を待つ必要がなく、１枚目の原稿読み取り完了を待ってから画像形成を開始することによる１枚目の画像形成時間の遅れをなくすことができる。
【００４１】
請求項７によれば、１枚目の読み取り完了まで画像形成を待つ必要がなく１枚目の原稿読み取り完了を待ってから画像形成を開始することによる１枚目の画像形成時間の遅れをなくすことができる。
【００４２】
請求項８によれば、１枚目の読み取り完了まで画像形成を待つ必要がなく、１枚目の原稿読み取り完了を待ってから画像形成を開始することによる１枚目の画像形成時間の遅れをなくすことができる。
【００４３】
請求項９によれば、ユーザーが操作パネル等で第１の実施の形態の機能（すなわち、キャリッジ逆方向の読み取り）を解除する機能を設けることでＡＤＦに異なったサイズの原稿が混載して送られる場合のような上記不具合を解消できる。
【００４４】
請求項１０によれば、このため、ＡＤＦにセットされた原稿のサイズを検知した場合、第１の実施の形態の機能を解除するよう設けたことで、ＡＤＦに異なったサイズの原稿が混載して送られる場合のような上記不具合を解消できる。
【発明を実施するための最良の形態】
【００４５】
以下、図面により本発明の実施の形態を詳細に説明する。図１は一般的なＡＤＦでの原稿読み取りの説明する複写装置の概略構成図である。
【００４６】
自動原稿送り装置（ＡＤＦ）１にある、原稿台２に原稿の画像面を上にして置かれた原稿束２０は、給送ベルト４によってコンタクトガラス６上の所定の位置に給送される。
【００４７】
給送された原稿は、読み取りユニット２１によってコンタクトガラス６上の原稿の画像データを読み取られる。読み取りが終了した原稿は、給送ベルト４および排送ローラ５によって排出される。
【００４８】
読み取りユニット２１による原稿２０’の画像データの読み取りについてより詳しく説明する。読み取りユニット２１に設けられた露光ランプ２２、第１ミラー２３はキャリッジ３２上に固定されている。
【００４９】
また第２ミラー２６、第３ミラー２７は図示しない第２キャリッジに固定されている。読み取られた原稿は感光体１５上に静電潜像を形成し、この静電潜像を給紙装置８，１１，９，１２および１０，１２のいずれかから搬送路１４を介して送られて来た転写紙に転写装置１６で転写する。静電潜像が転写された転写紙は、次に定着ユニット１７で画像定着され、排出部１８から排紙トレイ１９に排出される。
【００５０】
図２はキャリッジのホームポジションを示すＡＤＦと読み取りユニットの概略図である。図３はキャリッジの移動したポジションを示すＡＤＦと読み取りユニットの概略図である。
【００５１】
画像読み取り前にはキャリッジ３２は所定の位置（図２の位置、左側）に待機している（＝ホームポジション）。原稿２０’がコンタクトガラス６上の所定の位置に給送され停止すると、キャリッジ３２はホームポジションから図の左側に向けて走査を開始する。
【００５２】
キャリッジ３２の走査によりコンタクトガラス６上の原稿２０’に露光ランプ２２により照射された光の反射光が第１ミラー２３、第２ミラー２６、第３ミラー２７、レンズ２４介してイメージセンサ２５に導かれ、電気信号に変換されメモリに蓄えられる。
【００５３】
原稿像を読み取るときには、第２キャリッジもキャリッジ３２と同方向（図の左→右方向）移動する。このときの第２キャリッジの移動速度は、光路長が変わらないようにするためキャリッジ３２の１／２の速度で移動する。
【００５４】
キャリッジ３２が原稿２０’の終わり（図の右端部）に達するとキャリッジ３２は走査を終え、原稿２０’は給送ベルト４および排送ローラ５によって排出され、給送ベルト４により次の原稿がコンタクトガラス６上の所定位置に搬送されてくる。
【００５５】
キャリッジ３２は走査を終えた後ホームポジションまで戻され、次の原稿が読み取り可能（原稿が所定の位置に達し、キャリッジ３２がホームポジションに戻る）となれば次に原稿の読み取りを開始する。
【００５６】
このような一般的なＡＤＦでは、原稿の読み取り時間を短縮するためには、
（ａ）原稿を読み取り部まで搬送するのに要する時間、
（ｂ）原稿をスキャナで読み取る時間、
（ｃ）次の原稿を読み取るための準備時間、
（ｄ）次の原稿を送り出すタイミング、
を短縮することが有効である。
【００５７】
以下の説明において複写機のＡＤＦの構造は従来と同じである。まず、奇数枚目の原稿の読み取り時はキャリッジ３２を順方向（図２の左→右方向）で画像を読み取る。次に、偶数枚目の原稿の読み取り時はキャリッジ３２を逆方向（図２の右←左方向）で画像を読み取る。
【００５８】
奇数枚目の原稿の画像データを書き込み時はデータを読み取った順に書き込みを行う。偶数枚目の原稿の画像データを書き込み時はデータを読み取ったのと逆（すなわち、画像データの最後に読み取ったデータから最初に読み取ったデータの順）に書き込みを行う。
【００５９】
図４は原稿を読み取るさいの画像データを、原稿、従来例および本発明について説明する概略図である。従来はキャリッジの移動方向が図２の左→右方向に固定されていたため読み込まれる画像データは原稿と同じに読み取られている。
【００６０】
それに対して原稿偶数枚目にキャリッジ３２を逆方向へ、すなわちホームポジションへの移動時に画像データを読み込む場合、送りデータの左右方向が反転してしまう。
【００６１】
このため画像書き込み時にキャリッジ３２が逆方向で読み取った画像データを従来と同じようにデータを読み取った順に書き込んだ場合画像の左右が逆転してしまう。
【００６２】
これを防止するために原稿をキャリッジ３２の逆方向で読み込んだ画像データの場合、データを送り出す順序を変えて、データを読み取ったのと逆（すなわち、画像データの最後に読み取ったデータから最初に読み取ったデータの順）に書き込みを行っている。
【００６３】
図５は本発明によるデジタル複写装置の機能および制御を実現する構成を示すブロック図である。操作部３３には液晶ディスプレイ３４が接続され、キー入力３５によるメインコントローラ３７の応答を表示することができる。
【００６４】
メインコントローラ３７にはＩＰＵ（画像処理ユニット）３６、定着ユニット１７、ＡＤＦ１、メインモータ３８、中間クラッチ４０、第１給紙クラッチ４１、第２給紙クラッチ４２、第３給紙クラッチ４３が接続され、ＡＤＦ１には搬送モータ３９、原稿セット検知手段７が接続されている。
【００６５】
本発明によるＡＤＦ１を使用してコピーを行うデジタル複写装置においては、ＡＤＦ１で連続して原稿を読み取る場合に、奇数枚目をキャリッジ３２が順方向で原稿のスキャンを行う。
【００６６】
そして偶数枚目はキャリッジ３２の逆方向への移動時に原稿のスキャンを行って、前記偶数枚目の原稿の画像データはデータを読み取ったのとは逆に画像形成を行なう機能を有する制御手段を有している。
【００６７】
１枚目は通常どおり、すなわち、キャリッジ３２が順方向で原稿のスキャンを行い、その画像データをメモリ（ＩＰＵ）３６に蓄え、２枚目はキャリッジ３２の戻り時、すなわち、キャリッジ３２が逆方向で原稿のスキャンを行い、その画像データをメモリＩＰＵ）３６に蓄える。
【００６８】
以降、奇数枚目はキャリッジ３２が順方向で原稿のスキャンを行い、その画像データをメモリ（ＩＰＵ）３６に蓄え、以降偶数枚目はキャリッジ３２が逆方向で原稿のスキャンを行い、その画像データをメモリ（ＩＰＵ）３６に蓄える。
【００６９】
奇数枚目の原稿の画像データはデータを読み取った順に画像形成（感光体１５への画像書き込み）を行い、偶数枚目の原稿の画像データはデータを読み取ったのとは逆（すなわち、画像データの最後に読み取ったデータから最初に読み取ったデータの順）に画像形成（感光体１５への画像書き込み）を行う。
【００７０】
ＡＤＦ１の自動原稿送りを使用せず、圧板を開けて手動で原稿をセットする場合には、手動で原稿をセットすることによる時間が大きいため原稿を連続してスキャンする速度を向上させてもコピーの生産性には関係しない。このためコピー生産性の向上という観点からはキャリッジ戻り時に原稿の画像を読み込むことのメリットはない。
【００７１】
また圧板を開けてコピーを取る場合には、次にどのサイズの原稿が来るか正確に予測することができないため、奇数枚時に前と異なるサイズの原稿が来た場合にはキャリッジの位置を用紙の端部位置まで移動させる必要が生じる。
【００７２】
このため、ＡＤＦ１の自動原稿送りを使用せず、圧板を開けて手動で原稿をセットする場合には、偶数枚目はキャリッジ３２が逆方向で原稿のスキャンを行い、前記偶数枚目の原稿の画像データはデータを読み取ったのとは逆に画像形成を行なう機能を解除することによって、このような不具合を防止する。
【００７３】
１枚の原稿からコピーする枚数が複数枚である場合、原稿１回のスキャンで複数枚の画像を形成するため、
１枚の画像形成に要する時間＜１枚の原稿の読み取り時間≦２枚の画像形成に要する時間
となってもコピーの生産性は落ちない。このため、コピー生産性の向上という観点からはキャリッジ戻り時に原稿の画像を読み込むことのメリットはない。
【００７４】
逆に、ＡＤＦ１に異なるサイズの用紙が混載された場合に、キャリッジ３２の逆方向読み取りではキャリッジ戻り時の読み取り時に前と異なるサイズの原稿が送られて来た場合には、キャリッジ３２の位置を用紙の端部位置まで移動させる必要が生じる。
【００７５】
このため、１枚の原稿からコピーする枚数が複数枚である場合には、偶数枚目はキャリッジ３２が逆方向で原稿のスキャンを行い、前記偶数枚目の原稿の画像データはデータを読み取ったのとは逆に画像形成を行なう機能を解除することでこのような不具合を防止する。
【００７６】
ＡＤＦ１にセットされた原稿が全て送られた場合には、次に原稿を読む必要がないため以降の原稿を連続してスキャンする速度を向上させる必要はない。また、次にセットされる原稿のサイズが不明であるためキャリッジ３２が逆方向にスキャンする位置で待機している場合に前と異なるサイズの原稿が来た場合にはキャリッジ３２の位置を用紙の端部位置まで移動させる必要が生じる。
【００７７】
このためＡＤＦ１にセットされた原稿が全て送られたかどうか検知し、原稿が全て送られた後はキャリッジ３２をホームポジションに戻す、すなわち、偶数枚目はキャリッジ３２が逆方向で原稿のスキャンを行い、前記偶数枚目の原稿の画像データはデータを読み取ったのとは逆に画像形成を行なう機能を解除することによってこのような不具合を防止する。
【００７８】
偶数枚目はキャリッジ３２が逆方向で原稿のスキャンを行い、前記偶数枚目の原稿の画像データはデータを読み取ったのとは逆に画像形成を行なう機能を有する本発明では２枚目の原稿を読み取って画像データの反転処理が完了した後に記録紙に２枚目の画像を形成することが可能となる（すなわち、感光体１５に画像データを書き込み可能となる）。
【００７９】
それに対して１枚目の原稿は、
ＡＤＦ１の１枚あたり原稿スキャン時間  ≦  １枚あたり画像形成時間  ＊１
である場合においては、原稿読み取り開始と同時に画像形成（すなわち、感光体１５に画像データを書き込み）が可能となる。
【００８０】
＊１  ＡＤＦの１枚あたり原稿スキャン時間  ＞  １枚あたり画像形成時間  の場合、原稿読み取り開始と同時に画像形成（すなわち、感光体１５に画像データを書き込み）を開始した場合、画像形成のほうが画像読み取りより速く行われるため、原稿スキャンによる画像データが間に合わなくなってしまう。
【００８１】
しかし、原稿１枚目の画像形成（書き込み）を原稿１枚目の読み取り開始と同時に始めた場合、感光体に１枚目の画像を書き込み終わった後に２枚目の原稿のデータを書き込み開始となるには２枚目の読み取りが全て完了し、しかも画像データの反転処理が完了した後まで待つ必要がある。
【００８２】
このため、記録紙へのコピー１枚目と２枚目の紙間が大きくなってしまう。通常、複写装置は連続プリント時に紙間の間で感光体１５、現像ユニット、定着ユニット１７等の駆動、定着ユニット１７からの熱の供給を止めることはしていない。
【００８３】
このため、紙間が空いた場合には無駄に上記ユニット等が駆動され、定着ユニット１７には熱が供給されている。１枚目と２枚目の紙間を小さくすることが可能となれば、上記のような理由から、電力を無駄に消費することを防止でき、また無駄に駆動されることを防止することからマシンの低騒音化にも有効である。
【００８４】
ここでは１枚目の原稿の読み取りが完了した後に記録紙に１枚目の画像形成を開始するように設けていることから１枚目と２枚目の紙間が無駄に空いてしまうことによる上記不具合を防止することができる。
【００８５】
ＡＤＦ１の自動原稿送りを使用せず、圧板を開けて手動で原稿をセットする場合には、手動で原稿をセットすることによる時間が大きいため、１枚目の原稿の読み取りが完了した後に記録紙に１枚目の画像書き込みを開始するように制御される方法で記録紙へのプリントの１枚目と２枚目の紙間を短縮しようとしても原稿のセットに要する時間の方が圧倒的に大きいため、この方法による効果はない。
【００８６】
この場合には、逆に１枚目の原稿読み取り完了を待ってから画像形成（すなわち、感光体１５への書き込み）を開始していることによる１枚目の画像形成時間の遅れが生じる。
【００８７】
このため、ＡＤＦ１の自動原稿送りを使用せず、圧板を開けて手動で原稿をセットしてコピーを行う場合は１枚目の原稿の読み取りを完了する前に記録紙に１枚目の画像形成を開始するように設けている。
【００８８】
これによって原稿の読み取り開始直後から画像形成（すなわち、感光体１５への書き込み）を開始することが可能であり１枚目の読み取り完了まで画像形成を待つ必要をなくすことができる。
【００８９】
１枚の原稿からコピーする枚数が複数枚である場合には、１枚目の原稿で複数枚の画像を記録紙に形成している間に２枚目の画像の読み取りの完了に加えて画像反転処理完了とすることができる。
【００９０】
それによって、１枚目の原稿読み取り完了を待ってから画像形成、すなわち、感光体１５への書き込み開始で１枚目と２枚目の紙間を短縮しようとする必要はなく、逆に１枚目の原稿読み取り完了を待ってから画像形成（すなわち、感光体１５への書き込み）を開始していることによる１枚目の画像形成時間の遅れが生じる。
【００９１】
このため、１枚の原稿からコピーする枚数が複数枚である場合は、１枚目の原稿の読み取りを完了する前に記録紙に１枚目の画像形成を開始するように設けているので原稿の読み取り開始直後から画像形成（すなわち、感光体１５への書き込み）を開始することが可能であり１枚目の読み取り完了まで画像形成を待つ必要をなくすことができる。
【００９２】
原稿が１枚のみセットされている場合には、２枚目の原稿がないため、１枚目原稿と２枚目原稿の画像形成時の紙間が大きくなることは問題とならない。逆に１枚目の原稿読み取り完了を待ってから画像形成（すなわち、感光体１５への書き込み）を開始していることによる１枚目の画像形成時間の遅れが生じる。
【００９３】
このため、原稿が１枚のみセットされている場合は、１枚目の原稿の読み取りを完了する前に記録紙に１枚目の画像形成を開始するように設けているので、原稿の読み取り開始直後から画像形成（すなわち、感光体１５への書き込み）を開始することが可能であり、１枚目の読み取り完了まで画像形成を待つ必要をなくすことができる。
【００９４】
ＡＤＦ１に異なったサイズの原稿が混載して送られる場合、キャリッジ３２の逆方向読み取りでは、キャリッジ戻り時の読み取り時に前と異なるサイズの原稿が送られて来た場合には、キャリッジ３２の位置を用紙の端部位置まで移動させる必要が生じる。
【００９５】
このため、異なったサイズの原稿をＡＤＦ１にセットする場合、ユーザーが層さ部（操作パネル）３３等でキャリッジ逆方向の読み取り機能を解除することでこのような不具合を解消できる手段を提供する。
【００９６】
ＡＤＦ１に異なったサイズの原稿が混載して送られる場合、キャリッジ３２の逆方向読み取りでは、キャリッジ戻り時の読み取り時に前と異なるサイズの原稿が送られて来た場合には、キャリッジ３２の位置を用紙の端部位置まで移動させる必要が生じる。
【００９７】
このため、ＡＤＦ１にセットされた原稿のサイズを検知した場合、キャリッジ３２の逆方向の読み取りの機能を解除することでこのような不具合を解消できる手段を提供する。
【００９８】
本発明の第１の実施の形態によれば、キャリッジ３２を戻し時に読み取りを行うようにしたことで以下の効果が生じる。キャリッジ戻し時に画像を読み込むようにしたことで、次の原稿読み取りのためにキャリッジ３２を戻す動作が不要となることから、次の原稿の読み取りの準備の時間を大きく短縮できる。
【００９９】
これによりＡＤＦ１を使用して、１対１コピーをする場合にコピーの生産性が低下してしまうことを防止できる。従来はコピーの生産性を低下させないように原稿読み取り後のキャリッジ戻し時に画像を読み取り時より高速でキャリッジ３２を戻すことが多かったが、原稿読み取り前にキャリッジ３２を戻す動作が不要となることから、高速でキャリッジ３２を戻す必要がなくなる。
【０１００】
これによりキャリッジ３２を駆動するモータをより小型、低出力のモータの使用を可能とし、装置の大きさ、消費電力、騒音、発熱を低減できる。同様に高速でキャリッジ３２を戻す必要がなくなることからキャリッジ３２の駆動、スライド部等に掛かる負荷が低減することから、装置の高寿命化、信頼性の向上を図ることができる。
【０１０１】
本発明の第２の実施の形態として、第１の実施の形態と異なる点は、ＡＤＦ１の自動原稿送りを使用せず、圧板を開けて手動で原稿をセットしてコピーを行う場合、キャリッジ戻し時の画像読み取り機能を解除することである。
【０１０２】
ＡＤＦ１使用ではなく圧板を開けてコピーしているかどうかの判断は本実施の形態ではＡＤＦ１に設けた原稿セット検知（原稿が原稿積載台に載っているかどうかで判断するセンサ）にてＡＤＦ１に原稿がセットされていないことが検知されかつコピーのスタートスイッチが押された場合に、圧板使用のコピーと判断させている。
【０１０３】
また、圧板の開閉を検知するセンサを設け圧板開状態→閉状態に変化した後に  コピーのスタートスイッチが押された場合に、圧板使用のコピーと判断させても良い。
【０１０４】
ＡＤＦ１の自動原稿送りを使用せず、圧板を開けて手動で原稿をセットする場合には、手動で原稿をセットすることによる時間が大きいため、原稿を連続してスキャンする速度を向上させてもコピーの生産性には関係しない。
【０１０５】
このため、コピー生産性の向上という観点からはキャリッジ戻り時に原稿の画像を読み込むことのメリットはない。また、圧板を開けてコピーを取る場合には  次にどのサイズの原稿が来るか正確に予測することができないため、奇数枚時に前と異なるサイズの原稿が来た場合にはキャリッジ３２の位置を用紙の端部位置まで移動させる必要が生じる。
【０１０６】
しかしながら、原稿セット後にキャリッジ３２を用紙端部まで移動させる場合  には、従来のように原稿読み取り時にキャリッジ３２をホームポジションに戻す場合に比べて帰って時間が掛かってしまう（従来では原稿を手でセットしている間にキャリッジの戻しを完了させることが可能であるため。）。
【０１０７】
第３の実施の形態として、第１の実施の形態と異なる点は、１枚の原稿からコピーする枚数が複数枚である場合に、キャリッジ戻り時に原稿の画像を読み込む機能（キャリッジ戻し時に画像読み取り）を解除することである。１枚の原稿からコピーされる枚数が複数枚であるかどうかはユーザーが操作パネルにて何枚コピーするかを入力した値にて判断する。
【０１０８】
１枚の原稿からコピーする枚数が複数枚である場合、原稿１回のスキャンで複数枚の画像を形成するため１枚の画像形成のための時間＜１枚の原稿の読み取り時間≦２枚の画像形成のための時間となってもコピーの生産性は落ちない。このため、コピー生産性の向上という観点からは、キャリッジ戻り時に原稿の画像を読み込むことのメリットはない。
【０１０９】
逆に、ＡＤＦ１に異なるサイズの原稿が混載された場合に、キャリッジの逆方向読み取りでは、キャリッジ戻り時読み取り時に前と異なるサイズの原稿が送られて来た場合にはキャリッジの位置を用紙の端部位置まで移動させる必要が生じている。
【０１１０】
原稿セット後にキャリッジ３２を用紙端部まで移動させる場合、従来のように原稿読み取り時にキャリッジ３２をホームポジションに戻す場合に比べて返って時間が掛かってしまう（従来では複数枚の原稿を読み取っている間にキャリッジの戻しを完了させることが可能であるため）。
【０１１１】
第４の実施の形態と第１の実施の形態と異なる点は、ＡＤＦ１にセットされた原稿が全て送られたかどうか検知する手段にて原稿が全て送られたことを検知した場合に、最後の原稿の読み取りを完了後にキャリッジ３２をホームポジションに戻すように設けられたことである。
【０１１２】
ＡＤＦ１にセットされた原稿が全て送られたかどうかの検知は、本実施の形態ではＡＤＦ１にて原稿を読み取りのために読み取り位置に搬送後ＡＤＦ１に設けた原稿セット検知（原稿が原稿積載台に載っているかどうかで判断するセンサ）にてＡＤＦ１に原稿がセットされていないことが検知された場合、ＡＤＦ１にセットされた原稿が全て送られたと判断させている。
【０１１３】
ＡＤＦ１にセットされた原稿が全て送られた場合には、次に原稿を読む必要がないため以降の原稿を連続してスキャンする速度を向上させる必要はない。また次にセットされる原稿のサイズが不明であるため、キャリッジ３２が逆方向にスキャンする位置で待機している場合に前と異なるサイズの原稿が来た場合には、キャリッジ３２の位置を用紙の端部位置まで移動させる必要が生じる。
【０１１４】
しかしながら、原稿セット後にキャリッジ３２を用紙端部まで移動させる場合に、従来のように原稿読み取り時にキャリッジ３２をホームポジションに戻す場合に比べて返って時間がかかってしまう（従来では複数枚の原稿を読み取っている間にキャリッジ３２の戻しを完了させることが可能であるため）。
【０１１５】
このため、コピー生産性の向上という観点からはキャリッジ戻り時に原稿の画像を読み込むことのメリットはない。
【０１１６】
逆に、ＡＤＦ１に異なるサイズの原稿が混載された場合に、キャリッジ３２の逆方向読み取りではキャリッジ戻り時、読み取り時に前と異なるサイズの原稿が送られて来た場合にはキャリッジ３２の位置を用紙の端部位置まで移動させる必要が生じる。
【０１１７】
しかしながら、原稿セット後にキャリッジ３２を用紙端部まで移動させる場合には従来のように原稿読み取り時にキャリッジ３２をホームポジションに戻す場合に比べて返って時間が掛かってしまう（従来ではＡＤＦに次の原稿がセットされ読み取り可能になるまでの間にキャリッジの戻しを完了させることが可能であるため）。
【０１１８】
第５の実施の形態として、第１の実施の形態と異なる点は、１枚目の原稿の読み取りが完了した後に、記録紙に１枚目の画像書き込みを開始するように設けられたことである。
【０１１９】
第１の実施の形態では、２枚目の原稿を読み取って画像データの反転処理が完了した後に、記録紙に２枚目の画像を形成することが可能となる（すなわち、感光体１５に画像データを書き込み可能となる）。
【０１２０】
それに対して１枚目の原稿は、原稿読み取り速度 ≧ 画像形成速度である場合においては、原稿読み取り開始と同時に画像形成（すなわち、感光体１５に画像データを書き込み）が可能となる。
【０１２１】
原稿読み取り速度＜画像形成速度の場合としているのは、原稿読み取り開始と同時に画像形成（すなわち、感光体１５に画像データを書き込み）を開始した場合、画像形成の方が速度が速いと途中で画像データが追いつかなくなくなってしまうためである。
【０１２２】
しかし、原稿１枚目のコピーを、原稿１枚目の読み取り開始と同時に始めた場合に、感光体１５に１枚目の画像を書き込み終わった後に、２枚目の原稿のデータを書き込み開始になるには、２枚目の読み取りが全て完了し、それに加えて画像データの反転処理が完了した後まで待つ必要がある。
【０１２３】
このため、記録紙へのコピー１枚目と２枚目の紙間が大きくなってしまう。通常、複写装置は連続プリント時に紙間の間で感光体１５、現像ユニット、定着ユニット１７等の駆動、定着ユニット１７からの熱の供給を止めることはしていない。このため、紙間が空いた場合には無駄に上記ユニット等が駆動され、定着ユニット１７には熱が供給されている。
【０１２４】
１枚目と２枚目の紙間を小さくすることが可能となれば、上記のような理由から、電力を無駄に消費することを防止でき、また、無駄に駆動されることを防止することから、マシンの低騒音化にも有効である。
【０１２５】
第６の実施の形態として第５の実施の形態と異なる点は、ＡＤＦ１の自動原稿送りを使用せず、圧板を開けて手動で原稿をセットしてコピーを行う場合は、１枚目の原稿の読み取りが完了した後に記録紙に１枚目の画像書き込みを開始する機能を解除（１枚目の原稿の読み取りを完了する前に記録紙に１枚目の画像書き込みを開始）するように設けられることである。
【０１２６】
また、ＡＤＦ１の自動原稿送りを使用する場合は、第５の実施の形態の機能どおりに動作する（１枚目の原稿の読み取り完了後に記録紙に１枚目の画像形成を開始する）ように設けられたことである。
【０１２７】
ＡＤＦ１使用ではなく圧板を開けてコピーしているかどうかの判断は本実施の形態ではＡＤＦ１に設けた原稿セット検知（原稿が原稿積載台２に載っているかどうかで判断するセンサ）にてＡＤＦ１に原稿がセットされていないことが検知されかつコピーのスタートスイッチが押された場合に圧板使用のコピーと判断させている。
【０１２８】
また圧板の開閉を検知するセンサを設け、圧板開状態→閉状態に変化した後にコピーのスタートスイッチが押された場合に、圧板使用のコピーと判断させても良い。
【０１２９】
ＡＤＦ１の自動原稿送りを使用せず、圧板を開けて手動で原稿をセットする場合には、手動で原稿をセットすることによる時間が大きいため、第５の実施の形態の方法で記録へのプリントの１枚目と２枚目の紙間を短縮しようとしても原稿のセットに要する時間の方が圧倒的に大きい。
【０１３０】
このため、第５の実施の形態の方法の効果がなく、逆に１枚目の原稿読み取り完了を待ってから画像形成（すなわち感光体１５への書き込み）を開始していることによる１枚目の画像形成時間の遅れが生じる。
【０１３１】
第７の実施の形態として第５の実施の形態と異なる点は、１枚の原稿からコピーする枚数が複数枚である場合には、１枚目の原稿の読み取りを完了する前に記録紙に１枚目の画像の形成を開始するように設けられることである。
【０１３２】
また、１枚の原稿からコピーする枚数が１枚である場合は、第５の実施の形態の機能どおりに動作する（１枚目の原稿の読み取り完了後に記録紙に１枚目の画像形成を開始する）ように設けられたことである。１枚の原稿からコピーされる枚数が複数枚であるかどうかはユーザーが操作パネルにて何枚コピーするかを入力した値にて判断する。
【０１３３】
１枚の原稿からコピーする枚数が複数枚である場合には、１枚目の原稿で複数枚の画像を記録紙に形成している間に２枚目の画像の読み取りが完了に加えて画像反転処理完了とすることができる。
【０１３４】
それによって第５の実施の形態の方法（すなわち１枚目の原稿読み取り完了を待ってから画像形成、すなわち感光体１５への書き込みを開始）で１枚目と２枚目の紙間を短縮しようとする必要はなく、逆に１枚目の原稿読み取り完了を待ってから画像形成（すなわち感光体１５への書き込み）を開始していることにより１枚目の画像形成時間の遅れが生じる。
【０１３５】
第６の実施の形態では１枚の原稿からコピーする枚数が複数枚である場合には、１枚目の原稿の読み取りを完了する前に記録紙に１枚目の画像形成を開始するように設けていることから原稿の読み取り開始直後から画像形成（すなわち、感光体１５への書き込み）を開始することが可能である。
【０１３６】
そこで、１枚目の読み取り完了まで画像形成を待つ必要がなく１枚目の原稿読み取り完了を待ってから画像形成を開始することによる１枚目の画像形成時間の遅れをなくすことができる。
【０１３７】
第８の実施の形態として、第５の実施の形態と異なる点は、セットされた原稿が１枚であるか、複数枚であるかを検知する手段により、原稿が１枚のみと検知された場合は、１枚目の原稿の読み取りを完了する前に記録紙に１枚目の画像形成を開始するように設けられたことである。
【０１３８】
また、セットされた原稿が複数枚であること検知された場合は、第５の実施の形態の機能どおりに動作する（１枚目の原稿の読み取り完了後に記録紙に１枚目の画像形成を開始する）ように設けられたことである。
【０１３９】
セットされた原稿が１枚であるか、複数枚であるかの検知は、本実施の形態ではＡＤＦ１にて１枚目の原稿を読み取りのため読み取り位置に搬送後、ＡＤＦに設けた原稿セット検知（原稿が原稿積載台２に載っているかどうかで判断するセンサ）にてＡＤＦ１に原稿がセットされていないことが検知された場合にＡＤＦ１にセットされた原稿が１枚であったと判断させる。
【０１４０】
また、ＡＤＦ１にて１枚目の原稿を読み取りのため読み取り位置に搬送後、ＡＤＦに設けた原稿セット検知（原稿が原稿積載台２に載っているかどうかで判断するセンサ）にてＡＤＦ１に原稿がセットされていることが検知された場合にＡＤＦ１にセットされた原稿が複数枚であったと判断させている。
【０１４１】
原稿が１枚のみセットされている場合には１枚目原稿と２枚目原稿の画像形成時の紙間が大きくなることは問題とならない（２枚目の原稿がないため）。逆に１枚目の原稿読み取り完了を待ってから画像形成（すなわち、感光体１５への書き込み）を開始していることによる１枚目の画像形成時間の遅れが生じる。
【０１４２】
第７の実施の形態では原稿が１枚のみセットされている場合は１枚目の原稿の読み取りを完了する前に記録紙に１枚目の画像形成を開始するように設けていることから原稿の読み取り開始直後から画像形成（すなわち、感光体１５への書き込み）を開始することが可能である。
【０１４３】
１枚目の読み取り完了まで画像形成を待つ必要がなく、１枚目の原稿読み取り完了を待ってから画像形成を開始することによる１枚目の画像形成時間の遅れをなくすことができる。
【０１４４】
第９の実施の形態として、第１の実施の形態と異なる点は、ユーザーが第１の実施の形態の機能を解除可能に設けられていることである。ＡＤＦ１に異なるサイズの原稿が混載された場合に、キャリッジ３２の逆方向読み取りではキャリッジ戻り時の読み取り時に前と異なるサイズの原稿が送られて来た場合にはキャリッジ３２の位置を用紙の端部位置まで移動させる必要が生じる。
【０１４５】
原稿セット後にキャリッジ３２を用紙端部まで移動させる場合には従来のように原稿読み取り時にキャリッジ３２をホームポジションに戻す場合に比べて返って時間が掛かってしまう（従来では複数枚の原稿を読み取っている間にキャリッジの戻しを完了させることが可能であるため）。
【０１４６】
このため、ユーザーが操作パネル等で第１の実施の形態の機能（すなわち、キャリッジ逆方向の読み取り）を解除する機能を設けることでＡＤＦ１に異なったサイズの原稿が混載して送られる場合のような上記不具合を解消できる。
【０１４７】
第１０の実施の形態として、第１の実施の形態と異なる点は、ＡＤＦ１にセットされた原稿のサイズを検知する手段を有し、ＡＤＦ１に異なるサイズの原稿がセットされたことを検知した場合、第１の実施の形態の機能を解除するよう設けられたことである。
【０１４８】
ＡＤＦ１にセットされた原稿のサイズを検知する手段は、本実施の形態ではＡＤＦ１にセットされた送りスタートから原稿が原稿読み取り部の所定の位置に達するまでの時間Ｔを測定することにより用紙の送り方向の長さを検知している。
【０１４９】
この実施の形態では原稿の長さ方向のサイズ情報しか利用していないが、これは読み取り部でキャリッジ３２の移動量を決定するのに必要なのは原稿の長さ方向の情報だけで充分なためである（幅方向のサイズが異なってもキャリッジ３２が移動する量には関係しないため）。
【０１５０】
この実施の形態では用紙サイズが前の用紙と異なるのが判るのが次の原稿が読み取り位置に来たときであるため、この原稿の読み取りには第１の実施の形態の機能（すなわち、キャリッジ戻り時読み取り）を解除することが間に合わない。
【０１５１】
このため、その次の原稿の読み取り時から「このＡＤＦにセットされた原稿は異なるサイズが混載されている」と判断して以降、第１の実施の形態の機能（すなわち、キャリッジ戻り時読み取り）を解除する。
【０１５２】
また、ＡＤＦ１の用紙送り部のより上流側に用紙の有無を検知できるセンサを設け、原稿の送りスタートから原稿の後端がこのセンサを通過するまでの時間により原稿長さを判断させても良い。
【０１５３】
この場合は、原稿が読み取りの所定の位置に達する前に用紙長さの情報が解るため、この原稿の読み取り開始前に第１の実施の形態の機能（すなわち、キャリッジ戻り時読み取り）を解除することが可能となる。
【０１５４】
ＡＤＦ１に異なったサイズの原稿が混載して送られる場合、キャリッジ３２の逆方向読み取りではキャリッジ戻り時の読み取り時に前と異なるサイズの原稿が送られて来た場合にはキャリッジ３２の位置を用紙の端部位置まで移動させる必要が生じてしまう。
【０１５５】
しかしながら、原稿セット後にキャリッジ３２を用紙端部まで移動させる場合、従来のように原稿読み取り時にキャリッジ３２をホームポジションに戻す場合に比べて返って時間が掛かってしまう（従来では複数枚の原稿を読み取っている間にキャリッジの戻しを完了させることが可能であるため）。
【０１５６】
このため、ＡＤＦ１にセットされた原稿のサイズを検知した場合、第１の実施の形態の機能を解除するよう設けたことで、ＡＤＦ１に異なったサイズの原稿が混載して送られる場合のような上記不具合を解消できる。
【図面の簡単な説明】
【０１５７】
【図１】一般的なＡＤＦでの原稿読み取りの説明する複写装置の概略構成図である。
【図２】キャリッジのホームポジションを示すＡＤＦと読み取りユニットの概略図である。
【図３】キャリッジの移動したポジションを示すＡＤＦと読み取りユニットの概略図である。
【図４】原稿を読み取るさいの画像データを、原稿、従来例および本発明について説明する概略図である。
【図５】本発明によるデジタル複写装置の機能および制御を実現する構成を示すブロック図である。
【符号の説明】
【０１５８】
１    ＡＤＦ（オートドキュメントフィーダ）
３２    キャリッジ
３７    制御手段（メインコントローラ）
【図１】
2005073169.tif 000003
【図２】
2005073169.tif 000004
【図３】
2005073169.tif 000005
【図４】
2005073169.tif 000006
【図５】
2005073169.tif 000007